(57)【特許請求の範囲】
【請求項１】
基地局の受信信号を監視して上り無線回線の回線品質を測定し、その回線品質にしたがって上り無線回線の回線モードを提案する回線モード提案手段と、予め使用可能な上り無線回線の回線モードを少なくとも１以上記憶するとともに、その回線モードの調整値を記憶する記憶手段と、上記回線モード提案手段により提案された回線モードが上記記憶手段に記憶されている場合、その調整値を参照して提案された回線モードを調整し、その調整後の回線モードを上り無線回線に適用し、上記回線モード提案手段により提案された回線モードが上記記憶手段に記憶されていない場合、その記憶手段に記憶されている何れかの回線モードを上り無線回線に適用する回線モード設定手段とを備えた無線通信システム。
【請求項２】
移動局の受信信号を監視して下り無線回線の回線品質を測定し、その回線品質にしたがって下り無線回線の回線モードを提案する回線モード提案手段と、上記回線モード提案手段により提案された回線モードを送信する送信手段と、予め使用可能な下り無線回線の回線モードを少なくとも１以上記憶するとともに、その回線モードの調整値を記憶する記憶手段と、上記送信手段により送信された回線モードが上記記憶手段に記憶されている場合、その調整値を参照して提案された回線モードを調整し、その調整後の回線モードを下り無線回線に適用し、上記送信手段により送信された回線モードが上記記憶手段に記憶されていない場合、その記憶手段に記憶されている何れかの回線モードを下り無線回線に適用する回線モード設定手段とを備えた無線通信システム。
【請求項３】
移動局の受信信号を監視して下り無線回線の回線品質を測定し、その測定結果を送信する送信手段と、上記送信手段により送信された測定結果にしたがって下り無線回線の回線モードを提案する回線モード提案手段と、予め使用可能な下り無線回線の回線モードを少なくとも１以上記憶するとともに、その回線モードの調整値を記憶する記憶手段と、上記回線モード提案手段により提案された回線モードが上記記憶手段に記憶されている場合、その調整値を参照して提案された回線モードを調整し、その調整後の回線モードを下り無線回線に適用し、上記回線モード提案手段により提案された回線モードが上記記憶手段に記憶されていない場合、その記憶手段に記憶されている何れかの回線モードを下り無線回線に適用する回線モード設定手段とを備えた無線通信システム。
【請求項４】
移動局の受信信号を監視して下り無線回線の回線品質を測定し、その回線品質にしたがって下り無線回線の回線モードを提案する回線モード提案手段と、予め使用可能な下り無線回線の回線モードを少なくとも１以上記憶するとともに、その回線モードの調整値を記憶する記憶手段と、上記回線モード提案手段により提案された回線モードが上記記憶手段に記憶されている場合、その調整値を参照して提案された回線モードを調整し、その調整後の回線モードを下り無線回線に適用し、上記回線モード提案手段により提案された回線モードが上記記憶手段に記憶されていない場合、その記憶手段に記憶されている何れかの回線モードを下り無線回線に適用する回線モード設定手段とを備えた無線通信システム。
【請求項５】
回線モード提案手段は、回線品質に応じて変調方式と符号化率を組み合わせることにより、提案する回線モードを決定することを特徴とする請求項１から請求項４のうちのいずれか１項記載の無線通信システム。
【請求項６】
回線モード設定手段は、提案された回線モードが記憶手段に記憶されていない場合、その記憶手段に記憶されている回線モードのうち、フェージングに対する耐性が最高の回線モードを無線回線に適用することを特徴とする請求項１から請求項５のうちのいずれか１項記載の無線通信システム。
【請求項７】
基地局の受信信号を監視して上り無線回線の回線品質を測定し、その回線品質にしたがって上り無線回線の回線モードを提案する第１の回線モード提案手段と、移動局の受信信号を監視して下り無線回線の回線品質を測定し、その回線品質にしたがって下り無線回線の回線モードを提案する第２の回線モード提案手段と、上記第２の回線モード提案手段により提案された回線モードを送信する送信手段と、上り及び下り無線回線の優先度を記憶する記憶手段と、上記第１の回線モード提案手段により提案された回線モードを上り無線回線に適用し、上記送信手段により送信された回線モードを下り無線回線に適用する一方、各回線モードをそれぞれ無線回線に適用すると使用可能なシステム全体の無線帯域を超える場合、上記記憶手段に記憶されている優先度を考慮して、各無線回線の回線モードを調整する回線モード設定手段とを備えた無線通信システム。
【請求項８】
移動局の受信信号を監視して下り無線回線の回線品質を測定し、その測定結果を送信する送信手段と、基地局の受信信号を監視して上り無線回線の回線品質を測定し、その回線品質にしたがって上り無線回線の回線モードを提案するとともに、上記送信手段により送信された測定結果にしたがって下り無線回線の回線モードを提案する回線モード提案手段と、上り及び下り無線回線の優先度を記憶する記憶手段と、上記回線モード提案手段により提案された回線モードを上り及び下り無線回線に適用する一方、各回線モードをそれぞれ無線回線に適用すると使用可能なシステム全体の無線帯域を超える場合、上記記憶手段に記憶されている優先度を考慮して、各無線回線の回線モードを調整する回線モード設定手段とを備えた無線通信システム。
【発明の詳細な説明】
【０００１】
【発明の属する技術分野】
この発明は、無線回線の回線品質に応じて最適な無線回線モードを適用する無線通信システムに関するものである。
【０００２】
【従来の技術】
図１３は例えば特開平１１−１６４３７３号公報に示された従来の無線通信システムを示す構成図であり、図において、１は基地局、２は移動局、３は移動局２に送信するデータストリームを出力するダウンリンク送信データストリーム、４は後述するダウンリンクチャネル制御情報にしたがって変調方式及び符号化率を決定し、ダウンリンク送信データストリーム３が出力するデータストリーム及びチャネル品質測定ユニット１２が出力するアップリンクチャネル制御情報を符号化して変調する適応チャネル符号・変調器である。
【０００３】
５は基地局１の適応チャネル符号・変調器４が送信するデータストリーム及びアップリンクチャネル制御情報を受信すると、そのデータストリーム及びアップリンクチャネル制御情報を復調して復号化するとともに、そのデータストリームからダウンリンクのチャネル品質測定情報（チャネルの品質測定を実行するために必要な情報）を抽出するチャネル復号・復調器、６はチャネル復号・復調器５により復号化されたデータストリームを解析するダウンリンク受信データストリームである。
【０００４】
７はチャネル復号・復調器５がダウンリンクのチャネル品質測定情報を出力すると、チャネル品質測定アルゴリズムを実行してダウンリンクチャネルの品質を判定し、その判定結果をダウンリンクチャネル制御情報として出力するチャネル品質測定ユニット、８は基地局１に送信するデータストリームを出力するアップリンク送信データストリーム、９はチャネル復号・復調器５により復号化されたアップリンクチャネル制御情報にしたがって変調方式及び符号化率を決定し、アップリンク送信データストリーム８が出力するデータストリーム及びチャネル品質測定ユニット７が出力するダウンリンクチャネル制御情報を符号化して変調する適応チャネル符号・変調器である。
【０００５】
１０は移動局２の適応チャネル符号・変調器９が送信するデータストリーム及びダウンリンクチャネル制御情報を受信すると、そのデータストリーム及びダウンリンクチャネル制御情報を復調して復号化するとともに、そのデータストリームからアップリンクのチャネル品質測定情報を抽出するチャネル復号・復調器、１１はチャネル復号・復調器１０により復号化されたデータストリームを解析するアップリンク受信データストリーム、１２はチャネル復号・復調器１０がアップリンクのチャネル品質測定情報を出力すると、チャネル品質測定アルゴリズムを実行してアップリンクチャネルの品質を判定し、その判定結果をアップリンクチャネル制御情報として出力するチャネル品質測定ユニットである。
【０００６】
次に動作について説明する。
従来の無線通信システムは、無線回線の回線品質がフェージングなどにより絶えず変動することに鑑み、無線回線の回線品質を随時測定し、その測定結果に応じて変調方式及び符号化率を調整するようにしている。
【０００７】
具体的には次の通りである。最初にダウンリンク方向（基地局１から移動局２にデータを送信する方向）の無線回線について説明する。
まず、基地局１の適応チャネル符号・変調器４は、ダウンリンク送信データストリーム３が出力するデータストリームを符号化して変調し、変調後のデータストリームを移動局２に送信する。
移動局２のチャネル復号・復調器５は、基地局１の適応チャネル符号・変調器４が送信するデータストリームを受信すると、そのデータストリームを復調して復号化するとともに、そのデータストリームからダウンリンクのチャネル品質測定情報を抽出する。例えば、データストリームのビットエラーレートをチャネル品質測定情報として測定する。
【０００８】
移動局２のチャネル品質測定ユニット７は、チャネル復号・復調器５がダウンリンクのチャネル品質測定情報を出力すると、チャネル品質測定アルゴリズムを実行してダウンリンクチャネルの品質を判定し、その判定結果をダウンリンクチャネル制御情報として出力する。
【０００９】
移動局２の適応チャネル符号・変調器９は、チャネル品質測定ユニット７がダウンリンクチャネル制御情報を出力すると、アップリンク送信データストリーム８が出力するデータストリームを符号化して変調する際、そのダウンリンクチャネル制御情報も符号化して変調し、変調後のデータストリームとダウンリンクチャネル制御情報を基地局１に送信する。
【００１０】
基地局１のチャネル復号・復調器１０は、移動局２の適応チャネル符号・変調器９が送信するデータストリーム及びダウンリンクチャネル制御情報を受信すると、そのデータストリーム及びダウンリンクチャネル制御情報を復調して復号化する。
【００１１】
基地局１の適応チャネル符号・変調器４は、チャネル復号・復調器１０からダウンリンクチャネル制御情報を受けると、そのダウンリンクチャネル制御情報にしたがって無線回線モード（変調方式、符号化率）を決定し、以降のデータストリームの送受信において、その決定した無線回線モードをダウンリンク方向の無線回線に適用する。即ち、その決定した無線回線モードを移動局２のチャネル復号・復調器５に通知することにより、適応チャネル符号・変調器４とチャネル復号・復調器５が上記無線回線モードを採用して、データストリームの送受信を実行する。
【００１２】
ここで、図１４は「ＥＴＳＩ  ＢＲＡＮ  ＨＩＰＥＲＬＡＮ２」における無線回線モードの具体例を示す説明図である。
例えば、識別子が“１”の無線回線モード（変調方式＝ＢＰＳＫ、符号化率Ｒ＝１／２）の場合、伝送レートが最低になるが、フェージング等に対する耐性が最高になる。
逆に、識別子が“７”の無線回線モード（変調方式＝６４ＱＡＭ、符号化率Ｒ＝３／４）の場合、伝送レートが最高になるが、フェージング等に対する耐性が最低になる。
【００１３】
したがって、フェージング等の影響が大きくなり、無線回線の回線品質が劣化している場合には、フェージング等に対する耐性が高い無線回線モード（例えば、識別子が“１”の無線回線モード）を使用し、逆に、無線回線の回線品質が良好な場合には、伝送レートが高い無線回線モード（例えば、識別子が“７”の無線回線モード）を使用することが望ましい。
【００１４】
次にアップリンク方向（移動局２から基地局１にデータを送信する方向）の無線回線について説明する。
まず、移動局２の適応チャネル符号・変調器９は、アップリンク送信データストリーム８が出力するデータストリームを符号化して変調し、変調後のデータストリームを基地局１に送信する。
【００１５】
基地局１のチャネル復号・復調器１０は、移動局２の適応チャネル符号・変調器９が送信するデータストリームを受信すると、そのデータストリームを復調して復号化するとともに、そのデータストリームからアップリンクのチャネル品質測定情報を抽出する。例えば、データストリームのビットエラーレートをチャネル品質測定情報として測定する。
【００１６】
基地局１のチャネル品質測定ユニット１２は、チャネル復号・復調器１０がアップリンクのチャネル品質測定情報を出力すると、チャネル品質測定アルゴリズムを実行してアップリンクチャネルの品質を判定し、その判定結果をアップリンクチャネル制御情報として出力する。
【００１７】
基地局１の適応チャネル符号・変調器４は、チャネル品質測定ユニット１２がアップリンクチャネル制御情報を出力すると、ダウンリンク送信データストリーム３が出力するデータストリームを符号化して変調する際、そのアップリンクチャネル制御情報も符号化して変調し、変調後のデータストリームとアップリンクチャネル制御情報を移動局２に送信する。
【００１８】
移動局２のチャネル復号・復調器５は、基地局１の適応チャネル符号・変調器４が送信するデータストリーム及びアップリンクチャネル制御情報を受信すると、そのデータストリーム及びアップリンクチャネル制御情報を復調して復号化する。
【００１９】
移動局２の適応チャネル符号・変調器９は、チャネル復号・復調器５からアップリンクチャネル制御情報を受けると、そのアップリンクチャネル制御情報にしたがって無線回線モード（変調方式、符号化率）を決定し、以降のデータストリームの送受信において、その決定した無線回線モードをアップリンク方向の無線回線に適用する。即ち、その決定した無線回線モードを基地局１のチャネル復号・復調器１０に通知することにより、適応チャネル符号・変調器９とチャネル復号・復調器１０が上記無線回線モードを採用して、データストリームの送受信を実行する。
【００２０】
【発明が解決しようとする課題】
従来の無線通信システムは以上のように構成されているので、無線回線の回線品質に応じて無線回線モードを決定することができるが、無線回線の性質を特徴付けるサービス品質要求を考慮して、無線回線モードを決定することができない課題があった。
即ち、各無線回線には回線の性質を特徴付けるサービス品質要求が規定されるのが通常である。このサービス品質要求には、例えば「契約上、無線回線モードをＡとＢに限定する」、「フェージングによる誤りが発生する確率がたとえ高くても、伝送レートを高く維持したい」や「フェージングによる誤りが発生する確率を極力低くしたい」などが考えられる。しかし、サービス品質要求を考慮せず、単に無線回線の回線品質に応じて無線回線モードを決定するものであるため、サービス品質要求を満足することができない場合がある。
【００２１】
また、従来の無線通信システムは各無線回線の無線回線モードを個別に決定するものであるため、システムを構成する全無線回線の無線回線モードを包括的に決定することができない課題もあった。
即ち、一つの無線通信システムが使用できる無線帯域には上限があるため、データの伝送量を多くすると、無線帯域が足りなくなる場合がある。このような場合、「フェージング等による誤りの発生確率が高くなっても、各無線回線の無線回線モードを全体的に伝送レートの高いものに変えてトラヒックを収容する」などのサービス品質要求が受けることがあるが、このような要求を受け入れることができない。
【００２２】
この発明は上記のような課題を解決するためになされたもので、無線回線の性質を特徴付けるサービス品質要求を考慮して、無線回線モードを決定することができる無線通信システムを得ることを目的とする。
また、この発明は、システムを構成する全無線回線の無線回線モードを包括的に決定することができる無線通信システムを得ることを目的とする。
【００２３】
【課題を解決するための手段】
この発明に係る無線通信システムは、基地局の受信信号を監視して上り無線回線の回線品質を測定し、その回線品質にしたがって上り無線回線の回線モードを提案する回線モード提案手段と、予め使用可能な上り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを上り無線回線に適用し、その回線モード提案手段により提案された回線モードが記憶手段に記憶されていない場合、その記憶手段に記憶されている何れかの回線モードを上り無線回線に適用する回線モード設定手段とを設けたものである。
【００２４】
この発明に係る無線通信システムは、移動局の受信信号を監視して下り無線回線の回線品質を測定し、その回線品質にしたがって下り無線回線の回線モードを提案する回線モード提案手段と、その回線モード提案手段により提案された回線モードを送信する送信手段と、予め使用可能な下り無線回線の回線モードを少なくとも１以上記憶するとともに、その回線モードの調整値を記憶する記憶手段と、その送信手段により送信された回線モードが記憶手段に記憶されている場合、その調整値を参照して提案された回線モードを調整し、その調整後の回線モードを下り無線回線に適用し、その送信手段により送信された回線モードが記憶手段に記憶されていない場合、その記憶手段に記憶されている何れかの回線モードを下り無線回線に適用する回線モード設定手段とを設けたものである。
【００２５】
この発明に係る無線通信システムは、移動局の受信信号を監視して下り無線回線の回線品質を測定し、その測定結果を送信する送信手段と、その送信手段により送信された測定結果にしたがって下り無線回線の回線モードを提案する回線モード提案手段と、予め使用可能な下り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを下り無線回線に適用し、その回線モード提案手段により提案された回線モードが記憶手段に記憶されていない場合、その記憶手段に記憶されている何れかの回線モードを下り無線回線に適用する回線モード設定手段とを設けたものである。
【００２６】
この発明に係る無線通信システムは、移動局の受信信号を監視して下り無線回線の回線品質を測定し、その回線品質にしたがって下り無線回線の回線モードを提案する回線モード提案手段と、予め使用可能な下り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを下り無線回線に適用し、その回線モード提案手段により提案された回線モードが記憶手段に記憶されていない場合、その記憶手段に記憶されている何れかの回線モードを下り無線回線に適用する回線モード設定手段とを設けたものである。
【００２７】
この発明に係る無線通信システムは、回線品質に応じて変調方式と符号化率を組み合わせることにより、提案する回線モードを決定するようにしたものである。
【００２８】
この発明に係る無線通信システムは、提案された回線モードが記憶手段に記憶されていない場合、その記憶手段に記憶されている回線モードのうち、フェージングに対する耐性が最高の回線モードを無線回線に適用するようにしたものである。
【００２９】
この発明に係る無線通信システムは、上り及び下り無線回線の優先度を記憶する記憶手段と、第１の回線モード提案手段により提案された回線モードを上り無線回線に適用し、送信手段により送信された回線モードを下り無線回線に適用する一方、各回線モードをそれぞれ無線回線に適用すると使用可能なシステム全体の無線帯域を超える場合、記憶手段に記憶されている優先度を考慮して、各無線回線の回線モードを調整する回線モード設定手段を設けたものである。
【００３０】
この発明に係る無線通信システムは、上り及び下り無線回線の優先度を記憶する記憶手段と、回線モード提案手段により提案された回線モードを上り及び下り無線回線に適用する一方、各回線モードをそれぞれ無線回線に適用すると使用可能なシステム全体の無線帯域を超える場合、記憶手段に記憶されている優先度を考慮して、各無線回線の回線モードを調整する回線モード設定手段を設けたものである。
【００３１】
【発明の実施の形態】
以下、この発明の実施の一形態を説明する。
実施の形態１．
図１はこの発明の実施の形態１による無線通信システムを示す構成図であり、図において、２１は基地局、２２は移動局、２３は他の移動局であり、内部構成は移動局２２と同一である。２４は無線回線モード調整器３１の指示の下で無線回線モード（変調方式、符号化率）を決定し、ダウンリンク（下り無線回線）のデータストリームを符号化して変調するチャネル符号・変調器である。
【００３２】
２５は基地局２１のチャネル符号・変調器２４が送信するデータストリームを受信すると、そのデータストリームを復調して復号化するとともに、そのデータストリームを監視してダウンリンクの回線品質を測定するチャネル復号・復調器、２６はチャネル復号・復調器２５により測定されたダウンリンクの回線品質にしたがってダウンリンクの無線回線モードを提案する無線回線モード決定器、２７はアップリンク（上り無線回線）のデータストリームとダウンリンクモード情報（無線回線モード決定器２６により提案されたダウンリンクの無線回線モードを示す情報）を符号化して変調するチャネル符号・変調器（送信手段）である。
【００３３】
２８は移動局２２のチャネル符号・変調器２７が送信するデータストリーム及びダウンリンクモード情報を受信すると、そのデータストリーム及びダウンリンクモード情報を復調して復号化するとともに、そのデータストリームを監視してアップリンクの回線品質を測定するチャネル復号・復調器、２９はチャネル復号・復調器２８により測定されたアップリンクの回線品質にしたがってアップリンクの無線回線モードを提案する無線回線モード決定器である。なお、チャネル復号・復調器２５，２８及び無線回線モード決定器２６，２９は回線モード提案手段を構成する。３０は無線回線に関する属性情報（予め使用可能な無線回線モード、無線回線モードの調整値）を記憶するサービス品質情報テーブル（記憶手段）である。
【００３４】
３１は無線回線モード決定器２６により提案されたダウンリンクの無線回線モードがサービス品質情報テーブル３０に記憶されている場合、その無線回線モードをダウンリンクに適用し、そのダウンリンクの無線回線モードがサービス品質情報テーブル３０に記憶されていない場合、サービス品質情報テーブル３０に記憶されている無線回線モードのうち、フェージング等に対する耐性が最高の無線回線モードをダウンリンクに適用する無線回線モード調整器（回線モード設定手段）であり、また、無線回線モード調整器３１は無線回線モード決定器２９により提案されたアップリンクの無線回線モードがサービス品質情報テーブル３０に記憶されている場合、その無線回線モードをアップリンクに適用し、そのアップリンクの無線回線モードがサービス品質情報テーブル３０に記憶されていない場合、サービス品質情報テーブル３０に記憶されている無線回線モードのうち、フェージング等に対する耐性が最高の無線回線モードをアップリンクに適用する。
図３及び図４は無線通信システムの処理内容を示すフローチャートである。
【００３５】
次に動作について説明する。
最初にダウンリンクの無線回線モードの決定動作を説明する。
まず、基地局２１のチャネル符号・変調器２４は、ダウンリンクのデータストリームを符号化して変調する。
【００３６】
移動局２２のチャネル復号・復調器２５は、基地局２１のチャネル符号・変調器２４が送信するデータストリームを受信すると、そのデータストリームを復調して復号化するとともに、そのデータストリームを監視してダウンリンクの回線品質を測定する（ステップＳＴ１）。ここでは、ダウンリンクの回線品質としてビットエラーレートＢＥＲを測定するものとする。
【００３７】
移動局２２の無線回線モード決定器２６は、チャネル復号・復調器２５がビットエラーレートＢＥＲを測定すると、そのビットエラーレートＢＥＲと予め設定された閾値α，β，γ（α＜β＜γ）を比較し（ステップＳＴ２）、その比較結果に応じてダウンリンクの無線回線モードを提案する（ステップＳＴ３〜ＳＴ６）。この実施の形態１では、説明の便宜上、図１４に記載されている無線回線モードの何れかを提案するものとする。
【００３８】
具体的には、例えば、変調方式Ｍの取り得る種類が３種類あり（Ｍ１，Ｍ２，Ｍ３）、各変調方式Ｍ１，Ｍ２，Ｍ３の伝送レートと、フェージング等に対する耐性が図５（ａ）のような関係がある場合を想定し、また、符号化率Ｒの取り得る種類が２種類あり（Ｒ１，Ｒ２）、各符号化率Ｒ１，Ｒ２の伝送レートと、フェージング等に対する耐性が図５（ｂ）のような関係がある場合を想定する。
なお、変調方式Ｍと符号化率Ｒ間には、次のような関係があるのが一般的である。即ち、変調方式Ｍを変更すると伝送レート及び耐性が大きく変化するのに対し、符号化率Ｒを変更すると伝送レート及び耐性が少しだけ変化するのが一般的である。伝送レート及び耐性は変調方式Ｍと符号化率Ｒの両者により総合的に決定される。
【００３９】
このような想定化において、ビットエラーレートＢＥＲが閾値αより小さい場合（ＢＥＲ＜α）、ビットエラーが十分少ないので、より高速なデータ伝送が可能な変調方式Ｍに変更する（ステップＳＴ３）。即ち、現在の変調方式ＭがＭ３であればＭ２に変更し、現在の変調方式ＭがＭ２であればＭ１に変更する。現在の変調方式ＭがＭ１であれば既に最高速の変調方式Ｍを採用しているので、変調方式Ｍの変更を行わない。
なお、変調方式Ｍを変更する場合、フェージング等に対する耐性が大きく劣化するのを防止するため、符号化率Ｒをフェージング等に対する耐性が最も高いＲ２に変更する。ただし、変調方式Ｍを変更しない場合、伝送レートを高めるため符号化率ＲをＲ１に変更する。
【００４０】
ビットエラーレートＢＥＲが閾値αより大きいが、閾値βより小さい場合（α≦ＢＥＲ＜β）、ビットエラーがさほど多くはないが若干発生しているので、変調方式Ｍの変更を行わず、符号化率ＲをＲ１に変更して、伝送レートを若干高める（ステップＳＴ４）。
【００４１】
ビットエラーレートＢＥＲが閾値βより大きいが、閾値γより小さい場合（β≦ＢＥＲ＜γ）、ビットエラーが極端に多くはないがやや多く発生しているので、変調方式Ｍの変更を行わず、符号化率ＲをＲ２に変更して、フェージング等に対する耐性を若干高める（ステップＳＴ５）。
【００４２】
ビットエラーレートＢＥＲが閾値γより大きい場合（γ≦ＢＥＲ）、ビットエラーが極めて多いので、よりフェージング等に対する耐性が高い変調方式Ｍに変更する（ステップＳＴ６）。即ち、現在の変調方式ＭがＭ１であればＭ２に変更し、現在の変調方式ＭがＭ２であればＭ３に変更する。現在の変調方式ＭがＭ３であれば既に耐性が最高の変調方式Ｍを採用しているので、変調方式Ｍの変更を行わない。
なお、変調方式Ｍを変更する場合、伝送レートが大きく低下するのを防止するため、符号化率Ｒを伝送レートが最も高いＲ１に変更する。ただし、変調方式Ｍを変更しない場合、フェージング等に対する耐性を高めるため符号化率ＲをＲ２に変更する。
【００４３】
上記のようにして、移動局２２の無線回線モード決定器２６がダウンリンクの無線回線モードを提案すると、移動局２２のチャネル符号・変調器２７は、アップリンクのデータストリームとダウンリンクモード情報（無線回線モード決定器２６により提案されたダウンリンクの無線回線モードを示す情報）を符号化して変調し、変調後のデータストリームとダウンリンクモード情報を基地局２１に送信する。
【００４４】
基地局２１のチャネル復号・復調器２８は、移動局２２のチャネル符号・変調器２７が送信するデータストリーム及びダウンリンクモード情報を受信すると、そのデータストリーム及びダウンリンクモード情報を復調して復号化し、復号化後のダウンリンクモード情報を無線回線モード調整器３１に出力する。
【００４５】
基地局２１の無線回線モード調整器３１は、チャネル復号・復調器２８からダウンリンクモード情報を受けると、サービス品質情報テーブル３０から無線回線に関する属性情報、即ち、予め使用可能な無線回線モードと無線回線モードの調整値を取得する（ステップＳＴ７）。
なお、使用可能な無線回線モードや、無線回線モードの調整値は、予め無線回線の性質を特徴付けるサービス品質要求を考慮して設定されている。
【００４６】
そして、無線回線モード調整器３１は、移動局２２の無線回線モード決定器２６により提案されたダウンリンクの無線回線モードが、図２に示すサービス品質情報テーブル３０から取得した使用可能な無線回線モードに含まれているか否かを判定する（ステップＳＴ８）。
例えば、識別子が“１”の無線回線がダウンリンクに相当する場合、識別子が“３，４，５，６，７”の無線回線モードであれば（図１４を参照）、使用可能な無線回線モードに含まれていることになる。
【００４７】
したがって、無線回線モード決定器２６により提案されたダウンリンクの無線回線モードの識別子が例えば“５”であれば、使用可能な無線回線モードに含まれていると判断し、また、その調整値が“±０”であるので、識別子が“５”の無線回線モードをそのままダウンリンクに適用する。ただし、識別子が“２”や“３”の無線回線のように、その調整値が“±０”でない場合、その調整値により無線回線モードを調整する。例えば、調整値が“＋１”の場合、無線回線モードの識別子に“１”をプラスする。したがって、提案されたダウンリンクの無線回線モードの識別子が“５”であれば、識別子が“６”の無線回線モードをダウンリンクに適用する（ステップＳＴ９）。
【００４８】
一方、移動局２２の無線回線モード決定器２６により提案されたダウンリンクの無線回線モードが、サービス品質情報テーブル３０から取得した使用可能な無線回線モードに含まれていない場合、その使用可能な無線回線モードのうち、識別子が最も小さい無線回線モード、即ち、フェージング等に対する耐性が最高の無線回線モードをダウンリンクに適用する（ステップＳＴ１０）。
例えば、識別子が“１”の無線回線がダウンリンクに相当する場合において、識別子が“１”又は“２”の無線回線モードが提案された場合には、使用可能な無線回線モードに含まれていないので、その使用可能な無線回線モードのうち、フェージング等に対する耐性が最高である識別子が“３”の無線回線モードをダウンリンクに適用する。
【００４９】
基地局２１のチャネル符号・変調器２４及び移動局２２のチャネル復号・復調器２５は、以降、無線回線モード調整器３１により適用された無線回線モードにしたがってデータストリームを送受信する。
【００５０】
次にアップリンクの無線回線モードの決定動作を説明する。
まず、移動局２２のチャネル符号・変調器２７は、アップリンクのデータストリームを符号化して変調する。
【００５１】
基地局２１のチャネル復号・復調器２８は、移動局２２のチャネル符号・変調器２７が送信するデータストリームを受信すると、そのデータストリームを復調して復号化するとともに、そのデータストリームを監視してアップリンクの回線品質を測定する（ステップＳＴ１）。ここでは、アップリンクの回線品質としてビットエラーレートＢＥＲを測定するものとする。
【００５２】
基地局２１の無線回線モード決定器２９は、チャネル復号・復調器２８がビットエラーレートＢＥＲを測定すると、移動局２２の無線回線モード決定器２６と同様に、そのビットエラーレートＢＥＲと予め設定された閾値α，β，γ（α＜β＜γ）を比較し（ステップＳＴ２）、その比較結果に応じてアップリンクの無線回線モードを提案する（ステップＳＴ３〜ＳＴ６）。
【００５３】
基地局２１の無線回線モード調整器３１は、無線回線モード決定器２９からアップリンクの無線回線モードの提案を受けると、ダウンリンクの無線回線モードを最終的に決定してダウンリンクに適用する場合と同様に、アップリンクの無線回線モードを最終的に決定してアップリンクに適用する（ステップＳＴ７〜ＳＴ１０）。
【００５４】
移動局２２のチャネル符号・変調器２７及び基地局２１のチャネル復号・復調器２８は、以降、無線回線モード調整器３１により適用された無線回線モードにしたがってデータストリームを送受信する。
【００５５】
以上で明らかなように、この実施の形態１によれば、無線回線モード決定器２６，２９により提案された無線回線モードがサービス品質情報テーブル３０に記憶されている場合、その無線回線モードをダウンリンク又はアップリンクに適用し、その無線回線モードがサービス品質情報テーブル３０に記憶されていない場合、サービス品質情報テーブル３０に記憶されている無線回線モードのうち、フェージング等に対する耐性が最高の無線回線モードをダウンリンク又はアップリンクに適用するように構成したので、無線回線の性質を特徴付けるサービス品質要求を考慮して、無線回線モードを決定することができる効果を奏する。
また、無線回線モードの調整値を参照して、提案された無線回線モードを調整するので、無線回線モードを決定するに際して、サービス品質要求をきめ細かく反映させることができる効果を奏する。
【００５６】
実施の形態２．
図６はこの発明の実施の形態２による無線通信システムを示す構成図であり、図において、図１と同一符号は同一または相当部分を示すので説明を省略する。
３２はアップリンクのデータストリームとダウンリンク回線品質情報（チャネル復号・復調器２５により測定されたダウンリンクの回線品質を示す情報）を符号化して変調するチャネル符号・変調器（送信手段）、３３は移動局２２のチャネル符号・変調器３２が送信するデータストリーム及びダウンリンク回線品質情報を受信すると、そのデータストリーム及びダウンリンク回線品質情報を復調して復号化するとともに、そのデータストリームを監視してアップリンクの回線品質を測定するチャネル復号・復調器である。
【００５７】
３４はチャネル復号・復調器２５により測定されたダウンリンクの回線品質にしたがってダウンリンクの無線回線モードを提案するとともに、チャネル復号・復調器３３により測定されたアップリンクの回線品質にしたがってアップリンクの無線回線モードを提案する無線回線モード決定器である。なお、チャネル復号・復調器３３及び無線回線モード決定器３４は回線モード提案手段を構成する。
【００５８】
次に動作について説明する。
上記実施の形態１では、無線回線モード決定器２６を移動局２２に搭載するものについて示したが、アップリンクの無線回線モードの他に、ダウンリンクの無線回線モードも提案する無線回線モード決定器３４を基地局２１に搭載することにより、移動局２２に対する無線回線モード決定器２６の搭載を不要にしてもよい。
【００５９】
これにより、上記実施の形態１と同様の効果を奏する他に、移動局２２の構成を簡略化することができる効果を奏する。また、無線回線モード決定器３４が基地局２１に集約されているので、無線回線モードの決定アルゴリズムを変更する必要が生じても、その変更が容易になる効果を奏する。
なお、無線回線モード決定器３４が無線回線モード調整器３１の機能を兼ねるようにしてもよい。
【００６０】
実施の形態３．
図７はこの発明の実施の形態３による無線通信システムを示す構成図であり、図において、図１と同一符号は同一または相当部分を示すので説明を省略する。
３５は無線回線に関する属性情報（予め使用可能な無線回線モード、無線回線モードの調整値）を記憶するサービス品質情報テーブル（記憶手段）、３６は無線回線モード決定器２６により提案されたダウンリンクの無線回線モードがサービス品質情報テーブル３５に記憶されている場合、その無線回線モードをダウンリンクに適用し、そのダウンリンクの無線回線モードがサービス品質情報テーブル３５に記憶されていない場合、サービス品質情報テーブル３５に記憶されている無線回線モードのうち、フェージング等に対する耐性が最高の無線回線モードをダウンリンクに適用する無線回線モード調整器（回線モード設定手段）である。
【００６１】
次に動作について説明する。
上記実施の形態１では、基地局２１の無線回線モード調整器３１がアップリンクの無線回線モードの他に、ダウンリンクの無線回線モードも最終的に決定して無線回線に適用するものについて示したが、サービス品質情報テーブル３５及び無線回線モード調整器３６を移動局２２に搭載することにより、ダウンリンクの無線回線モードについては移動局２２内で決定するようにしてもよく、上記実施の形態１と同様の効果を奏することができる。
なお、無線回線モード決定器２６が無線回線モード調整器３６の機能を兼ねるようにしてもよい。
【００６２】
実施の形態４．
図８はこの発明の実施の形態４による無線通信システムを示す構成図であり、図において、図１と同一符号は同一または相当部分を示すので説明を省略する。
３７は無線回線モード決定器２６，２９により提案された無線回線モードを一時的に記憶する無線回線モード記憶テーブル、３８はダウンリンク及びアップリンクの優先度を記憶する優先度情報テーブル（記憶手段）、３９は第１の回線モード提案手段を構成する無線回線モード決定器２９により提案された無線回線モードをアップリンクに適用し、第２の回線モード提案手段を構成する無線回線モード決定器２６により提案された無線回線モードをダウンリンクに適用する一方、各無線回線モードをアップリンク，ダウンリンクに適用すると使用可能なシステム全体の無線帯域を超える場合、優先度情報テーブル３８に記憶されている優先度を考慮して、各無線回線モードを調整する無線回線モード調整器（回線モード設定手段）である。
図１１は無線通信システムの処理内容を示すフローチャートである。
【００６３】
次に動作について説明する。
上記実施の形態１と同様にして、無線回線モード決定器２９がアップリンクの無線回線モードを提案し、無線回線モード決定器２６がダウンリンクの無線回線モードを提案すると、アップリンクの無線回線モード及びダウンリンクの無線回線モードが無線回線モード記憶テーブル３７に一時的に記憶される。
【００６４】
図９は無線回線モード記憶テーブル３７の記憶例を示している。識別子が“１”の無線回線がアップリンクに相当し、識別子が“２”の無線回線がダウンリンクに相当するものとし、この例では、アップリンクには識別子が“２”の無線回線モードが提案され、ダウンリンクには識別子が“５”の無線回線モードが提案されている。なお、この例では、システム中に無線回線が２本存在するものについて示しているが、システム中に無線回線が３本以上存在していてもよく、例えば、無線回線が３本存在する場合には３本の無線回線の無線回線モードを記憶する。
【００６５】
無線回線モード調整器３９は、無線回線モード記憶テーブル３７を参照して、無線回線モード決定器２９により提案された無線回線モードをアップリンクに適用し、無線回線モード決定器２６により提案された無線回線モードをダウンリンクに適用する。
【００６６】
具体的には、まず、優先度情報テーブル３８を参照して、優先度が最高の無線回線を検索する。この例では、図１０に示すように、ダウンリンク（識別子が“２”の無線回線）の優先度が“１”であるので、無線回線モード決定器２６により提案された無線回線モードをダウンリンクに適用することが可能であるか否かを判定する（ステップＳＴ１１）。即ち、無線回線モード決定器２６により提案された無線回線モードをダウンリンクに適用した場合、使用可能なシステム全体の無線帯域を超えるか否かを判定する。なお、図１０の例では、優先度が“１”の無線回線として１本のダウンリンクが設定されているが、優先度が“１”の無線回線が複数本設定されている場合には、複数の無線回線に無線回線モードを設定したとき、使用可能なシステム全体の無線帯域を超えるか否かを判定する。
【００６７】
そして、無線回線モード調整器３９は、無線回線モード決定器２６により提案された無線回線モードをダウンリンクに適用したとき、使用可能なシステム全体の無線帯域を超えると判断する場合には、ダウンリンクの無線帯域を小さくするため、その提案された無線回線モードの識別子をインクリメントする（ステップＳＴ１２）。図９の例では、ダウンリンクには識別子が“５”の無線回線モードが提案されているので、識別子が“６”の無線回線モードに変更する。
そして、ステップＳＴ１１の処理に戻り、同様の判定処理を実行する。
【００６８】
無線回線モード調整器３９は、使用可能なシステム全体の無線帯域を超えないと判断する場合には、無線回線モード決定器２６により提案された無線回線モードをダウンリンクに実際に適用する（ステップＳＴ１３）。
これにより、基地局２１のチャネル符号・変調器２４及び移動局２２のチャネル復号・復調器２５は、以降、無線回線モード調整器３９により適用された無線回線モードにしたがってデータストリームを送受信する。
【００６９】
無線回線モード調整器３９は、優先度が“１”の無線回線に対する無線回線モードの適用を完了すると、次に優先度が高い無線回線に対する無線回線モードの適用を試みる。
【００７０】
具体的には、優先度情報テーブル３８を参照して、優先度が“２”の無線回線を検索する。この例では、図１０に示すように、アップリンク（識別子が“１”の無線回線）の優先度が“２”であるので、無線回線モード決定器２９により提案された無線回線モードをアップリンクに適用することが可能であるか否かを判定する（ステップＳＴ１４）。即ち、無線回線モード決定器２９により提案された無線回線モードをアップリンクに適用した場合、使用可能なシステム全体の無線帯域を超えるか否かを判定する。なお、図１０の例では、優先度が“２”の無線回線として１本のアップリンクが設定されているが、優先度が“２”の無線回線が複数本設定されている場合には、複数の無線回線に無線回線モードを設定したとき、使用可能なシステム全体の無線帯域を超えるか否かを判定する。
【００７１】
そして、無線回線モード調整器３９は、無線回線モード決定器２９により提案された無線回線モードをアップリンクに適用したとき、使用可能なシステム全体の無線帯域を超えると判断する場合には、アップリンクの無線帯域を小さくするため、その提案された無線回線モードの識別子をインクリメントする（ステップＳＴ１５）。図９の例では、アップリンクには識別子が“２”の無線回線モードが提案されているので、識別子が“３”の無線回線モードに変更する。
そして、ステップＳＴ１４の処理に戻り、同様の判定処理を実行する。
【００７２】
無線回線モード調整器３９は、使用可能なシステム全体の無線帯域を超えないと判断する場合には、無線回線モード決定器２９により提案された無線回線モードをアップリンクに実際に適用する（ステップＳＴ１６）。
これにより、移動局２２のチャネル符号・変調器２７及び基地局２１のチャネル復号・復調器２８は、以降、無線回線モード調整器３９により適用された無線回線モードにしたがってデータストリームを送受信する。
【００７３】
以上で明らかなように、この実施の形態４によれば、各無線回線モードをアップリンク，ダウンリンクに適用すると使用可能なシステム全体の無線帯域を超える場合、優先度情報テーブル３８に記憶されている優先度を考慮して、各無線回線モードを調整するように構成したので、システムを構成する全無線回線の無線回線モードを包括的に決定することができる効果を奏する。
【００７４】
実施の形態５．
上記実施の形態４では、無線回線モード決定器２６を移動局２２に搭載するものについて示したが、図１２に示すように、アップリンクの無線回線モードの他に、ダウンリンクの無線回線モードも提案する無線回線モード決定器３４を基地局２１に搭載することにより、移動局２２に対する無線回線モード決定器２６の搭載を不要にしてもよい。
【００７５】
これにより、上記実施の形態４と同様の効果を奏する他に、移動局２２の構成を簡略化することができる効果を奏する。また、無線回線モード決定器３４が基地局２１に集約されているので、無線回線モードの決定アルゴリズムを変更する必要が生じても、その変更が容易になる効果を奏する。
なお、無線回線モード決定器３４が無線回線モード調整器３９の機能を兼ねるようにしてもよい。
【００７６】
【発明の効果】
以上のように、この発明によれば、基地局の受信信号を監視して上り無線回線の回線品質を測定し、その回線品質にしたがって上り無線回線の回線モードを提案する回線モード提案手段と、予め使用可能な上り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを上り無線回線に適用し、その回線モード提案手段により提案された回線モードが記憶手段に記憶されていない場合、その記憶手段に記憶されている何れかの回線モードを上り無線回線に適用する回線モード設定手段とを設けるように構成したので、上り無線回線の性質を特徴付けるサービス品質要求を考慮して、回線モードを決定することができる効果がある。
また、回線モードを決定するに際して、サービス品質要求をきめ細かく反映させることができる効果がある。
【００７７】
この発明によれば、移動局の受信信号を監視して下り無線回線の回線品質を測定し、その回線品質にしたがって下り無線回線の回線モードを提案する回線モード提案手段と、その回線モード提案手段により提案された回線モードを送信する送信手段と、予め使用可能な下り無線回線の回線モードを少なくとも１以上記憶するとともに、その回線モードの調整値を記憶する記憶手段と、その送信手段により送信された回線モードが記憶手段に記憶されている場合、その調整値を参照して提案された回線モードを調整し、その調整後の回線モードを下り無線回線に適用し、その送信手段により送信された回線モードが記憶手段に記憶されていない場合、その記憶手段に記憶されている何れかの回線モードを下り無線回線に適用する回線モード設定手段とを設けるように構成したので、下り無線回線の性質を特徴付けるサービス品質要求を考慮して、回線モードを決定することができる効果がある。
また、回線モードを決定するに際して、サービス品質要求をきめ細かく反映させることができる効果がある。
【００７８】
この発明によれば、移動局の受信信号を監視して下り無線回線の回線品質を測定し、その測定結果を送信する送信手段と、その送信手段により送信された測定結果にしたがって下り無線回線の回線モードを提案する回線モード提案手段と、予め使用可能な下り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを下り無線回線に適用し、その回線モード提案手段により提案された回線モードが記憶手段に記憶されていない場合、その記憶手段に記憶されている何れかの回線モードを下り無線回線に適用する回線モード設定手段とを設けるように構成したので、下り無線回線の性質を特徴付けるサービス品質要求を考慮して、回線モードを決定することができる効果がある。
また、回線モードを決定するに際して、サービス品質要求をきめ細かく反映させることができる効果がある。
【００７９】
この発明によれば、移動局の受信信号を監視して下り無線回線の回線品質を測定し、その回線品質にしたがって下り無線回線の回線モードを提案する回線モード提案手段と、予め使用可能な下り無線回線の回線モードを少なくとも１以上記憶するとともに、その回線モードの調整値を記憶する記憶手段と、その回線モード提案手段により提案された回線モードが記憶手段に記憶されている場合、その調整値を参照して提案された回線モードを調整し、その調整後の回線モードを下り無線回線に適用し、その回線モード提案手段により提案された回線モードが記憶手段に記憶されていない場合、その記憶手段に記憶されている何れかの回線モードを下り無線回線に適用する回線モード設定手段とを設けるように構成したので、下り無線回線の性質を特徴付けるサービス品質要求を考慮して、回線モードを決定することができる効果がある。
【００８０】
この発明によれば、回線品質に応じて変調方式と符号化率を組み合わせることにより、提案する回線モードを決定する構成にしたので、きめ細かく提案する回線モードを決定することができる効果がある。
【００８１】
この発明によれば、提案された回線モードが記憶手段に記憶されていない場合、その記憶手段に記憶されている回線モードのうち、フェージングに対する耐性が最高の回線モードを無線回線に適用するように構成したので、通信エラーの発生確率を低減することができる効果がある。
【００８２】
この発明によれば、上り及び下り無線回線の優先度を記憶する記憶手段と、第１の回線モード提案手段により提案された回線モードを上り無線回線に適用し、送信手段により送信された回線モードを下り無線回線に適用する一方、各回線モードをそれぞれ無線回線に適用すると使用可能なシステム全体の無線帯域を超える場合、記憶手段に記憶されている優先度を考慮して、各無線回線の回線モードを調整する回線モード設定手段を設けるように構成したので、システムを構成する全無線回線の回線モードを包括的に決定することができる効果がある。
【００８３】
この発明によれば、上り及び下り無線回線の優先度を記憶する記憶手段と、回線モード提案手段により提案された回線モードを上り及び下り無線回線に適用する一方、各回線モードをそれぞれ無線回線に適用すると使用可能なシステム全体の無線帯域を超える場合、記憶手段に記憶されている優先度を考慮して、各無線回線の回線モードを調整する回線モード設定手段を設けるように構成したので、システムを構成する全無線回線の回線モードを包括的に決定することができる効果がある。
【図面の簡単な説明】
【図１】  この発明の実施の形態１による無線通信システムを示す構成図である。
【図２】  サービス品質情報テーブルの記憶内容を示す説明図である。
【図３】  無線通信システムの処理内容を示すフローチャートである。
【図４】  無線通信システムの処理内容を示すフローチャートである。
【図５】  無線回線モードを説明する説明図である。
【図６】  この発明の実施の形態２による無線通信システムを示す構成図である。
【図７】  この発明の実施の形態３による無線通信システムを示す構成図である。
【図８】  この発明の実施の形態４による無線通信システムを示す構成図である。
【図９】  無線回線モード記憶テーブルの記憶内容を示す説明図である。
【図１０】  優先度情報テーブルの記憶内容を示す説明図である。
【図１１】  無線通信システムの処理内容を示すフローチャートである。
【図１２】  この発明の実施の形態５による無線通信システムを示す構成図である。
【図１３】  従来の無線通信システムを示す構成図である。
【図１４】  無線回線モードの具体例を示す説明図である。
【符号の説明】
２１  基地局、２２  移動局、２３  他の移動局、２４  チャネル符号・変調器、２５  チャネル復号・復調器（回線モード提案手段）、２６  無線回線モード決定器（回線モード提案手段、第２の回線モード提案手段）、２７  チャネル符号・変調器（送信手段）、２８  チャネル復号・復調器（回線モード提案手段）、２９  無線回線モード決定器（回線モード提案手段、第１の回線モード提案手段）、３０  サービス品質情報テーブル（記憶手段）、３１  無線回線モード調整器（回線モード設定手段）、３２  チャネル符号・変調器（送信手段）、３３  チャネル復号・復調器（回線モード提案手段）、３４  無線回線モード決定器（回線モード提案手段）、３５  サービス品質情報テーブル（記憶手段）、３６  無線回線モード調整器（回線モード設定手段）、３７  無線回線モード記憶テーブル、３８  優先度情報テーブル（記憶手段）、３９  無線回線モード調整器（回線モード設定手段）。
【図１】
0003868698.tif 000002
【図２】
0003868698.tif 000003
【図３】
0003868698.tif 000004
【図４】
0003868698.tif 000005
【図５】
0003868698.tif 000006
【図６】
0003868698.tif 000007
【図７】
0003868698.tif 000008
【図８】
0003868698.tif 000009
【図９】
0003868698.tif 000010
【図１０】
0003868698.tif 000011
【図１１】
0003868698.tif 000012
【図１２】
0003868698.tif 000013
【図１３】
0003868698.tif 000014
【図１４】
0003868698.tif 000015